(57)【要約】【課題】  音声発生効果の調整が出荷の際に完了し、イヤホン工場の組み立てに適用できる音声調整モジュールを提供する。【解決手段】  ケース３１、振動膜３２及び磁気回路セット３３を備える。ケース３１は、前壁３１１と周縁壁３１２とを有し、かつ周縁壁３１２と前壁３１１との間に収納空間３１３を有する。振動膜３２は、収納空間３１３中に収納されることで収納空間３１３を二つに分け、その一つが前腔音室３１４で、もう一つが後腔音室３１５である。振動膜３２は、後腔音室３１５に振動コイル３２１を有する。ケース３１は、前腔音室３１４に音孔３１６を有する。磁気回路セット３３は、後腔音室３１５の中に収納されることで振動膜３２に振動を発生させ、中空の減衰音室３６３と、第一気孔３６４と、第二気孔３７１とを有する。【選択図】    図２
2006324967.tif 000002
【特許請求の範囲】
【請求項１】
ケースは、前壁と、前壁の周縁から後へ延伸する周縁壁とを有し、周縁壁と前壁との間に収納空間を有し、
振動膜はケースの収納空間の中に収納されることで収納空間を二つに分け、その一つが振動膜と前壁との間に形成される前腔音室であり、もう一つが後腔音室であり、振動膜は後腔音室において振動コイルを有し、ケースは前腔音室において音孔を少なくとも一つ有し、磁気回路セットは後腔音室の中に収納されることで振動膜に振動を発生させ、その中央に通気性のある減衰材を内部に収納する中空の減衰音室と、減衰音室と後腔音室と繋がる第一気孔と、減衰音室と外部と繋がる第二気孔とを有することを特徴とする音声調整モジュール。
【請求項２】
磁気回路セットは、逆Ｕ型の胴部と、胴部の周縁から外へ延伸する肩部とを有するヨークを有し、胴部が振動コイルの内側に位置付けられ、Ｕ型の胴部により前記中空の減衰音室を形成し、胴部の端面に前記第一気孔を有することを特徴とする請求項１に記載の音声調合モジュール。
【請求項３】
磁気回路セットは、ヨークの外側に装着され、前記第二気孔を有する基板を有することを特徴とする請求項２に記載の音声調整モジュール。
【請求項４】
磁気回路セットは、振動コイルの外側に位置するように後腔音室に装着される磁気誘導金属片と環状磁石とを有することを特徴とする請求項３に記載の音声調整モジュール。
【請求項５】
磁気回路セットは、底座の中に収納され、底座により前記ケースに連接されることを特徴とする請求項１に記載の音声調整モジュール。
【請求項６】
ケースの音孔は、前壁に位置付けられることを特徴とする請求項１に記載の音声調整ジュール。
【請求項７】
ケースの音孔は、周縁壁に位置付けられることを特徴とする請求項１に記載の音声調整モジュール。
【発明の詳細な説明】
【技術分野】
【０００１】
本発明は、音響装置に関し、特に、イヤホンまたは補聴器の音声発生装置に適用する音声調整モジュールに関するものである。
【背景技術】
【０００２】
図１に示すように、周知のイヤホン構造１０は、前ケース部１１と後ケース部１２との間にスピーカー単体２０を有し、前ケース部１１とスピーカー２０との間に前腔音室１３を有し、後ケース部１２とスピーカー単体２０との間に後腔音室１４を有し、前ケース部１１に前腔音室１３と繋がる音孔１５を有し、後ケース部１２に後腔音室と外部と繋がる若干の気孔１６を有し、コード２１により振動コイル２２に接続して電流を提供することで感応磁場を発生させ、また、コイル２２が磁力誘導金属片２３、磁石２４及びヨーク２５から形成される磁場の間に位置づけられ、振動膜２６が感応磁場と磁場の吸引または反発作用により振動して音を発生し、前腔音室と後腔音室の大きさ、音孔１５と気孔１６の大きさ、位置及びその形状と配置空間がイヤホンの音声発生の質に影響するものである。生産する場合、電子工場で製作された前述のスピーカー単体２０とプラスチック工場で製作された前述のイヤホンのケースとをイヤホン生産工場で組み立てる。このような生産方法は、イヤホン生産工場のエンジニアーの設計不良またはスピーカー単体２０の特性を十分に把握できていないことにより、電子工場で製作されたスピーカー単体２０が出荷時にはまったく問題がなかったとしても、イヤホンケース内に装着した後、その所要の効果を発揮できない可能性がある。
【発明の開示】
【発明が解決しようとする課題】
【０００３】
本発明の主な目的は、音声発生効果の調整が出荷の際にすでに完了し、かつイヤホン工場の組み立てに適用する音声調整モジュールを提供することにある。
【課題を解決するための手段】
【０００４】
上述の目的を達成するために、本発明による音声調整モジュールは、ケース、振動膜及び磁気回路セットを備える。ケースは、前壁と、前壁の周縁から後へ延伸する周縁壁とを有し、かつ周縁壁と前壁との間に収納空間を有する。振動膜は、ケースの収納空間の中に収納されることで収納空間を二つに分け、その一つが振動膜と前壁との間に形成される前腔音室で、もう一つが後腔音室であり、また、振動膜は後腔音室において振動コイルを有する。また、ケースは、前腔音室において音孔を少なくとも一つ有する。磁気回路セットは、後腔音室の中に収納されることで振動膜に振動を発生させ、かつその中央に通気性のある減衰材を内部に収納する中空の減衰音室と、減衰音室と後腔音室と繋がる第一気孔と、減衰音室と外部と繋がる第二気孔とを有する。
【発明を実施するための最良の形態】
【０００５】
以下、本発明の実施例を図面に基づいて説明する。まず、図面の説明は下記の通りである。
図１は、周知のイヤホンの構造を示す模式図である。
【０００６】
図２は、本発明の第一実施例の構造を示す断面図である。
図３は、本発明の第二実施例の構造を示す断面図である。
図４は、本発明の第三実施例の構造を示す断面図である。
【０００７】
図２に示すように、本発明の第一実施例による音声調整モジュール３０は、下記のものを備える。
ケース３１は、前壁３１１と、前壁３１１の周縁から後へ延伸する周縁壁３１２とを有し、かつ周縁壁３１２と前壁３１１との間に収納空間３１３を有する。
【０００８】
振動膜３２は、ケースの収納空間の中に収納されることで収納空間を二つに分け、その一つが振動膜３２と前壁３１１との間に形成される前腔音室３１４で、もう一つが後腔音室３１５であり、また、振動膜３２は後腔音室３１５において振動コイル３２１を有する。
【０００９】
また、ケース３１は、前壁３１１の中央から外に突出して音孔３１６を形成する。
磁気回路セット３３は、後腔音室３１５の中に収納されることで振動膜に振動を発生させ、かつ磁気誘導金属片３４、環状磁石３５、ヨーク３６、基板３７及び減衰材３８を有する。磁気誘導金属片３４及び環状磁石３５は、振動コイル３２１の外側に位置するように後腔音室３１５に装着される。ヨーク３６は、逆Ｕ型の胴部３６１と、胴部の周縁から外へ延伸して磁石３５に密着する環状の肩部３６２とを有し、そのうちの胴部３６１が振動コイル３２１の内側に位置し、中空の減衰音室３６３を形成し、また、胴部３６１の端面に減衰音室３６３と後腔音室３１５と繋がる第一気孔３６４を有する。基板３７は、ヨーク３６の外側に装着され、減衰音室３６３と外部と繋がる第二気孔３７１を有し、基板３７の底面にコードに接続するための回路接点３７２を有する。減衰材３８は、通気性のある材料、例えば、発泡スチロールなどから製作され、かつ減衰音室３６３内に装着されることで空気の流量を調整可能である。
【００１０】
組み立てを簡素化するために、本実施例は、底座３９を有し、組み立てる場合、ヨーク３６と磁石３５と金属片３４とを順番に底座３９内に入れ、続いて、基板３７を底面３９に固定することで前述の磁気回路セットを完成させ、続いて、振動膜３２を磁気回路セットの上方に装着し、そののち、全体をまとめてケース３１に装着し、リベッティングによりケース３１の脚端部３７１を底座３９に固定することで音声調整モジュールを完成させる。固定方法は、リベティングによる固定のほかに接着でも構わない。
【００１１】
本実施例の特徴は、音声調整モジュールにより三つの腔室、即ち、前腔音室３１４、後腔音室３１５及び減衰音室３６３が形成されることである。振動膜３２が後腔音室３１５に振動して発生する背圧は気孔３６４、気孔３７１、減衰音室３６３及び減衰材３８により調整されるため、本実施例のスピーカーは最大のパフォーマンス及び絶好の音質を発揮することが可能である。また、これらの設計調整は音声調整モジュールを生産する電子工場で単独に完成することが可能であるため、このような音声調整モジュールを採用するイヤホン工場はスピーカー単体とほかの部品との組合せの具合を考慮することなく、イヤホンの外形または使用時の快適性を考えるだけでよい。したがって、組合せが難しいという問題を解決することが可能である。
【００１２】
図３に示すように、本発明の第二実施例による音声調整モジュール４０の構造は、第一実施例によるものとほぼ同じであるが、違うのは音孔４１がケース４２の周縁壁４２１に設けられることである。
【００１３】
図４に示すように、本発明の第三実施例による音声調整モジュール５０の構造は、第一実施例によるものとほぼ同じであるが、違うのは第一実施例における底座３９を配置せず、振動膜５１と金属片５２と磁石５３とヨーク５４と基板５５とを順番にケース５６の収納空間に入れてから、リベッティングまたは接着により一体に固定することである。
【図面の簡単な説明】
【００１４】
【図１】周知のイヤホンの構造を示す模式図である。
【図２】本発明の第一実施例による音声調整モジュールを示す断面図である。
【図３】本発明の第二実施例による音声調整モジュールを示す断面図である。
【図４】本発明の第三実施例による音声調整モジュールを示す断面図である。
【符号の説明】
【００１５】
３０  音声調整モジュール、３１  ケース、３２  振動膜、３３  磁気回路セット、３４  磁力誘導金属片、３５  環状磁石、３６  ヨーク、３７  基板、３８  減衰材、３９  底座、４０  音声調整モジュール、４１  音孔、４２  ケース、５０  音声調整モジュール、５１  振動膜、５２  金属片、５３  磁石、５４  ヨーク、５５  基板、５６  ケース、３１１  前壁、３１２  周縁壁、３１３  収納空間、３１４  前腔音室、３１５  後腔音室、３１６  音孔、３１７  脚端部、３２１  振動コイル、３６１  胴部、３６２  肩部、３６３  減衰音室、３６４  第一気孔、３７１  第二気孔、３７２  回路接点、４２１  周縁壁
【図１】
2006324967.tif 000003
【図２】
2006324967.tif 000004
【図３】
2006324967.tif 000005
【図４】
2006324967.tif 000006